(57)【要約】【課題】暗所においてもキーをカギ穴へと容易でかつ確実に差し込むことが可能なシリンダ錠装置を提供すること。【解決手段】自転車のワイヤ錠は、シリンダ錠装置１４を備えている。シリンダ錠装置１４は、キーによって回動筒１６を回動することで、施錠状態にあるワイヤ錠を解錠可能である。回動筒１６においてカギ穴１６ｂが開口する外端面１６ａには、該回動筒１６と一体回動可能に発光部材１８が取着されている。発光部材１８は蓄光材料よりなっている。発光部材１８は、昼間或いは照明を受けた際に光を吸収し、この吸収した光によって夜間等の暗所において自然に発光する。【選択図】      図３
2005256492.tif 000002
【特許請求の範囲】
【請求項１】
キーによって回動筒を回動させる構成のシリンダ錠装置であって、前記回動筒においてカギ穴が開口する外端面に発光手段を備えたことを特徴とするシリンダ錠装置。
【請求項２】
前記発光手段は、前記回動筒の前記外端面に対して該回動筒と一体回動可能に取着された発光部材よりなり、該発光部材は円板状をなすとともに蓄光材料よりなっており、該発光部材には前記カギ穴への前記キーの挿入を許容する挿入口が形成されている請求項１に記載のシリンダ錠装置。
【請求項３】
キーによって回動筒を回動させる構成のシリンダ錠装置に用いられる発光部材であって、円板状をなすとともに蓄光材料よりなることと、前記回動筒においてカギ穴が開口する外端面に対して該回動筒と一体回動可能に取着されることと、前記カギ穴への前記キーの挿入を許容する挿入口が形成されていることとからなることを特徴とする発光部材。
【発明の詳細な説明】
【技術分野】
【０００１】
本発明は、例えば自転車の錠に用いられるシリンダ錠装置及び該シリンダ錠装置に用いられる発光部材に関する。
【背景技術】
【０００２】
自転車の錠には、例えばワイヤ錠やチェーン錠等のフレキシブルロッド錠や、リング錠が存在する（ワイヤ錠については例えば特許文献１参照。リング錠については例えば特許文献２参照。）。これら錠はシリンダ錠装置を備えている。シリンダ錠装置は、回動筒（所謂内筒）の外端面にカギ穴が開口されており、該カギ穴に差し込まれたキーによって回動筒を回動させることで、施錠状態にある錠を解錠可能となっている。
【０００３】
さて、一般的な自転車の錠においては、夜間等、暗所に駐輪されている自転車を解錠する場合、手探りでキーをカギ穴に差し込む面倒がある。従って、従来においてはこのような問題を解決するために、無線式錠や、蓄光材料よりなる発光部材を回動筒の外端面の周囲に取着することが提案されている（無線式錠については例えば特許文献３参照。発光部材については例えば特許文献４参照。なお、特許文献４においては産業車両のドア錠に発光部材を適用することが具体例として示されているが、該技術は自転車の錠にも適用可能である。）。
【特許文献１】特開２００２−４７８４６号公報
【特許文献２】特開平１０−１５３０２９号公報
【特許文献３】特開２０００−２８９６６６号公報
【特許文献４】特開２００４−５２３５９号公報
【発明の開示】
【発明が解決しようとする課題】
【０００４】
ところが、前記無線式錠は、構成が複雑となりコストが上昇する問題がある。
また、前記発光部材を回動筒の外端面の周囲に取着することでは、「暗所においてキーをカギ穴へと容易でかつ確実に差し込むことができる」と言えるまでには至らない。即ち、従来において発光部材は、回動筒の外端面の周囲つまりカギ穴から離れた位置に配置されている。従って、発光部材の発光によっては、自転車におけるカギ穴の大まかな位置及び向きを確認することはできるが、正確な位置及び向きまでを確認することは容易ではなかった。
【０００５】
本発明の目的は、暗所においてもキーをカギ穴へと容易でかつ確実に差し込むことが可能なシリンダ錠装置及び該シリンダ錠装置に用いられる発光部材を提供することにある。
【課題を解決するための手段】
【０００６】
上記目的を達成するために請求項１に記載の発明のシリンダ錠装置は、回動筒においてカギ穴が開口する外端面に、発光手段が備えられている。従って、発光手段は、カギ穴の近傍において発光されることとなり、暗所においてもカギ穴の正確な位置及び向きを確認することが容易となる。
【０００７】
請求項２の発明は請求項１において、前記発光手段の好適な一態様について言及するものである。即ち、発光手段は、回動筒の外端面に対して該回動筒と一体回動可能に取着された発光部材よりなっている。発光部材は、円板状をなすとともに蓄光材料よりなっている。発光部材には、カギ穴へのキーの挿入を許容する挿入口が形成されている。
【０００８】
円板状をなす前記発光部材はその製作が容易である。また、蓄光材料よりなる発光部材は、昼間或いは照明を受けた際に光を吸収し、この吸収した光によって夜間等の暗所において自然に発光する。よって、発光部材の発光に電力を必要としない。さらに、挿入口を備えた発光部材は、カギ穴を取り囲むようにして配置される。従って、発光しないカギ穴と、その極近傍でかつ周囲で発光する発光部材とで明暗がハッキリと付き、暗所においてもカギ穴の位置及び向きをより確実に確認することができる。
【０００９】
請求項３の発明の発光部材は、キーによって回動筒を回動させる構成のシリンダ錠装置に用いられる。発光部材は、円板状をなすとともに蓄光材料よりなっている。発光部材は、回動筒においてカギ穴が開口する外端面に対して該回動筒と一体回動可能に取着される。発光部材には、カギ穴へのキーの挿入を許容する挿入口が形成されている。回動筒の外端面に取着された発光部材は、カギ穴の近傍において発光されることとなり、暗所においてもカギ穴の正確な位置及び向きを確認することが容易となる。
【発明の効果】
【００１０】
上記構成の本発明によれば、暗所においてもキーをカギ穴へと容易でかつ確実に差し込むことが可能となる。
【発明を実施するための最良の形態】
【００１１】
以下、本発明のシリンダ錠装置を自転車のワイヤ錠に適用した一実施形態について説明する。
図１に示すように、ワイヤ錠１０は、外形が略円柱状をなす錠本体１１と、ワイヤ２５に樹脂製のチューブ２６が被覆されてなるフレキシブルロッド１２からなっている。フレキシブルロッド１２（ワイヤ２５）の第１端２５ａは、錠本体１１に対して第１端面１１ａ側で固定されている。フレキシブルロッド１２（ワイヤ２５）の第２端２５ｂには、鍵宝珠形状をなす施錠杆１３が取り付けられている。錠本体１１の円柱周面には、フレキシブルロッド１２の施錠杆１３を挿入するための施錠孔２７が形成されている。
【００１２】
図３に示すように、前記錠本体１１は、シリンダ錠装置１４を備えている。シリンダ錠装置１４は、シリンダケース１５内に回動筒（所謂内筒）１６が回動可能に収容されてなる。シリンダケース１５内には、回動筒１６が嵌入された図示しない固定筒（所謂外筒）や、回動筒１６と固定筒との間に介在される図示しないピン・バネ等の周知な構成が配置されている。回動筒１６において、錠本体１１の第２端面１１ｂ（図１参照）側に位置する外端面１６ａには、カギ穴１６ｂが開口されている。
【００１３】
図１及び図３に示すように、前記シリンダケース１５において錠本体１１の第２端面１１ｂ側には、実質的に円筒状をなす樹脂製のカバー１７が装着されている。カバー１７はリング状部１７ａを備えている。リング状部１７ａは、シリンダケース１５において回動筒１６の外端面１６ａの周囲を円環状に取り囲む形状を有している。カバー１７は、金属製のシリンダケース１５の緩衝保護やワイヤ錠１０の外観性能の向上に寄与する。
【００１４】
前記シリンダケース１５には、発光手段としての円板状をなす発光部材１８が、回動筒１６の外端面１６ａを覆うようにして配置されている。発光部材１８は蓄光材料よりなっている。蓄光材料としては、夜光塗料や発光性のビーズ等の材料が挙げられる。蓄光材料に樹脂を混入したもので、発光部材１８が成型されている。
【００１５】
前記発光部材１８は、外周部１８ｂがカバー１７のリング状部１７ａによって係止されることで、中心部１８ａの一方の面をカバー１７外へと露出させつつ、錠本体１１（回動筒１６）からの外れが防止されている。発光部材１８の外周部１８ｂは、該発光部材１８においてカバー１７の外側寄りの外径が小さくなるように、中心部１８ａよりも薄肉とされている。リング状部１７ａの内周部は、該リング状部１７ａにおいてカバー１７の外側寄りの内径が小さくなるように、外周部よりも薄肉とされている。従って、発光部材１８は、リング状部１７ａによって囲まれた空間内に全体が位置して、該リング状部１７ａによって相対回動可能に嵌合支持されている。よって、発光部材１８とリング状部１７ａは、カバー１７の内側及び外側においてそれぞれ面一となっている。
【００１６】
前記発光部材１８の中心部１８ａには、回動筒１６のカギ穴１６ｂに対応する位置に、矩形の挿入口１８ｄが表裏方向に貫通形成されている。つまり、発光部材１８は、回動筒１６のカギ穴１６ｂを、該カギ穴１６ｂの近傍で取り囲む形状を有している。挿入口１８ｄにおいて矩形の両長辺には、発光部材１８の挿入口１８ｄ付近を凹曲面状に肉取りすることでガイド部１８ｅが連設されている。
【００１７】
前記発光部材１８の中心部１８ａにおいてその偏心位置（回動筒１６の回動中心からずれた位置）には、一対のピン孔１８ｃが表裏方向に貫通形成されている。回動筒１６の外端面１６ａにおいてその偏心位置（回動筒１６の回動中心からずれた位置）には、一対のピン１６ｃが植設されている。発光部材１８は、ピン孔１８ｃ内に回動筒１６のピン１６ｃが挿入されることで、回動筒１６の外端面１６ａに対して該回動筒１６と一体回動可能に取着されている。
【００１８】
さて、図２において前記ワイヤ錠１０は、錠本体１１の施錠孔２７内にフレキシブルロッド１２の施錠杆１３が固定された施錠状態にある。この状態から、発光部材１８の挿入口１８ｄを介して回動筒１６のカギ穴１６ｂ（図３参照）へとキー２１を差し込み、該キー２１によって回動筒１６を回動させる。すると、ワイヤ錠１０は、施錠孔２７内から施錠杆１３が抜脱された解錠状態（図１の状態）となる。
【００１９】
前記発光部材１８は、昼間或いは照明を受けた際に光を吸収し、この吸収した光によって夜間等の暗所において自然に発光する。発光部材１８の発光により、暗所におけるカギ穴１６ｂへのキー２１の差込作業つまりはワイヤ錠１０の解錠作業が容易となる。
【００２０】
上記構成の本実施形態においては次のような効果を奏する。
（１）発光部材１８は、シリンダ錠装置１４の回動筒１６に対して、カギ穴１６ｂが開口する外端面１６ａに取着されている。従って、発光部材１８は、カギ穴１６ｂの近傍において発光されることとなり、暗所においても、カギ穴１６ｂの正確な位置及び向きを確認すること、つまりはキー２１をカギ穴１６ｂへと容易でかつ確実に差し込むことが可能となる。
【００２１】
（２）発光手段として、回動筒１６の外端面１６ａに対して該回動筒１６と一体回動可能に取着された発光部材１８が採用されている。発光部材１８は、円板状をなすとともに蓄光材料よりなっている。発光部材１８には、カギ穴１６ｂへのキー２１の挿入を許容する挿入口１８ｄが形成されている。
【００２２】
円板状をなす前記発光部材１８はその製作が容易である。また、蓄光材料からなる発光部材１８は、発光に電力を必要としない。従って、電気配線等が必要なくて構成の簡素化を図り得るし、電池交換等の面倒なメンテナンスが不要となる。さらに、挿入口１８ｄを備えた発光部材１８は、カギ穴１６ｂを取り囲むようにして配置される。従って、発光しないカギ穴１６ｂと、その極近傍でかつ周囲で発光する発光部材１８とで明暗がハッキリと付き、暗所においてもカギ穴１６ｂの位置及び向きをより確実に確認することができる。
【００２３】
（３）発光部材１８において、挿入口１８ｄの付近に設けられたガイド部１８ｅは、キー２１を挿入口１８ｄへと案内し、該キー２１のカギ穴１６ｂへの差込をさらに容易とする。
【００２４】
（４）発光部材１８は、外周部１８ｂがカバー１７のリング状部１７ａによって係止されることで、中心部１８ａの一方の面をカバー１７のリング状部１７ａ外へと露出させつつ、錠本体１１からの外れが防止されている。従って、例えば、発光部材１８を、回動筒１６の外端面１６ａに対して接着剤や両面テープ等によって貼付する場合と比較して、該発光部材１８の錠本体１１からの外れを長きに渡って確実に防止することができる。つまり、接着剤や両面テープは、例えば風雨や日光等の影響を受け易い屋外環境に置かれることで劣化し易いのである。
【００２５】
また、前記錠本体１１からの発光部材１８の外れをカバー１７（リング状部１７ａ）によって防止する構成を採用することで、発光部材１８と回動筒１６との直接的な係合は、該発光部材１８と回動筒１６とが一体回動することのみを達成できる構成であればよい。従って、本実施形態においては、ピン１６ｃとピン孔１８ｃと嵌め合いからなる簡単な係合構成を採用することができ、例えば発光部材１８を回動筒１６の外端面１６ａにネジ止めする等と比較して、シリンダ錠装置１４ひいてはワイヤ錠１０の組立が簡単となる。
【００２６】
（５）発光部材１８は、リング状部１７ａによって囲まれた空間内に位置して、該リング状部１７ａによって相対回動可能に嵌合支持されている。従って、リング状部１７ａによる支持よって、回動筒１６の回動に伴う発光部材１８の回動が安定して行われる。これは、ワイヤ錠１０の解錠作業におけるキー２１のスムーズな回動につながる。また、発光部材１８をカバー１７内においてコンパクトに配置することができ、錠本体１１を小型化することができる。
【００２７】
（６）発光部材１８とリング状部１７ａは、カバー１７の内側において面一となっている。従って、リング状部１７ａをシリンダケース１５に当接させることができて、該シリンダケース１５に対するカバー１７の固定が安定する。また、発光部材１８とリング状部１７ａは、カバー１７の外側において面一となっている。つまり、発光部材１８の挿入口１８ｄは、リング状部１７ａに対してカバー１７の内側寄りに奥まることなく配置されている。従って、挿入口１８ｄへのキー２１の挿入、つまりはカギ穴１６ｂへのキー２１の挿入をさらに容易とすることができる。さらに、発光部材１８とリング状部１７ａをカバー１７の外側において面一とすることで、錠本体１１の表面が発光部材１８付近において凹凸にならず、該錠本体１１の外観は好感の持たれるシンプルなものとなる。
【００２８】
なお、本発明の趣旨から逸脱しない範囲で例えば以下の態様でも実施できる。
○ピン１６ｃ及びピン孔１８ｃを、三組や四組等の二組以外の複数組、或いは一組とすること。
【００２９】
○ピン孔１８ｃを、発光部材１８を貫通させずに有底孔とすること。
○回動筒１６にピン孔を形成するとともに、ピンを発光部材１８に設けること。
○上記実施形態においてピン１６ｃ及びピン孔１８ｃを削除し、発光部材１８を接着剤や両面テープ等によって回動筒１６の外端面１６ａに貼付するか、或いは、発光部材１８をネジ止めによって回動筒１６の外端面１６ａに固定する。このようにすれば、錠本体１１からの発光部材１８の外れを、カバー１７の係止によって防止する構成を採用する必要がなくなる。従って、例えば、発光部材１８の外周部１８ｂを削除することができるし、カバー１７においてリング状部１７ａの厚みを内周部と外周部とで異ならせる必要もなくなる。よって、発光部材１８及びリング状部１７ａを均一な板厚にできて、発光部材１８及びカバー１７の製作が容易となる。
【００３０】
○発光部材１８は、回動筒１６の外端面１６ａにおいてカギ穴１６ｂを除くほぼ全てを覆う形状である必要は必ずしもなく、一部を覆うのみの形状であってもよい。
○回動筒１６の全体又は外端面１６ａを含む一部を蓄光材料によって構成し、該回動筒１６自体を発光手段とすること。このようにすれば、発光手段を備えることでの部品点数増を抑制することができる。
【００３１】
○蓄光材料を含む塗料を、回動筒１６の外端面１６ａの少なくとも一部（理想的にはカギ穴１６ｂを除く全て）に塗布し、この塗膜を発光手段として把握すること。
○発光手段として、無機或いは有機エレクトロルミネッセンスからなる円板状の発光部材を用いること。
【００３２】
○発光手段として、回動筒１６の外端面１６ａにＬＥＤ（Ｌｉｇｈｔ−Ｅｍｉｔｔｉｎｇ  Ｄｉｏｄｅ）や電球等のランプを埋設すること。
○ワイヤ錠以外のフレキシブルロッド錠としては、例えばフレキシブルロッドにステンレス等の金属製チェーンを用いたチェーン錠が挙げられる。
【００３３】
○本発明を、例えば、自転車のリング錠に用いられるシリンダ錠装置や、自転車のハンドル錠に用いられるシリンダ錠装置や、自動車や建物のドア錠に用いられるシリンダ錠装置や、自動車のイグニッションシステムに用いられるシリンダ錠装置等に具体化すること。
【００３４】
上記実施形態又は別例から把握できる技術的思想について記載する。
（１）前記発光部材は、該発光部材及び前記回動筒の一方に設けられたピンと他方に設けられたピン孔との嵌め合いによって、前記回動筒と一体回動可能となっている請求項２に記載のシリンダ錠装置。このようにすれば、シリンダ錠装置の組立が簡単となる。
【００３５】
（２）前記回動筒を回動可能に収容するシリンダケースにはカバーが装着され、該カバーはリング状部を有しており、前記発光部材は、外周部が前記カバーの前記リング状部によって係止されることで、中心部の一方の面を前記カバー外へと露出させつつ、前記回動筒からの外れが防止されている請求項２或いは技術的思想（１）に記載のシリンダ錠装置。このようにすれば、発光部材の回動筒からの外れを長きに渡って確実に防止することができる。
【００３６】
（３）前記発光部材は、前記リング状部によって囲まれた空間内に位置して、該リング状部によって相対回動可能に嵌合支持されている技術的思想（２）に記載のシリンダ錠装置。このようにすれば、回動筒の回動に伴う発光部材の回動が安定して行われる。
【００３７】
（４）請求項１又は２に記載或いは技術的思想（１）〜（３）のいずれか一項に記載のシリンダ錠装置と施錠孔とを備えた錠本体と、該錠本体に第１端が固定されているとともに第２端には前記施錠孔に挿入可能な施錠杆が設けられたフレキシブルロッドとからなり、前記キーによって前記回動筒を回動させることで、前記施錠孔内から前記施錠杆を抜脱可能な構成のフレキシブルロッド錠。
【図面の簡単な説明】
【００３８】
【図１】解錠状態にあるワイヤ錠を示す斜視図。
【図２】施錠状態にあるワイヤ錠を示す斜視図。
【図３】錠本体からカバー及び発光部材を分解した状態を示す斜視図。
【符号の説明】
【００３９】
１４…シリンダ錠装置、１６…回動筒（ａ…外端面、ｂ…カギ穴）、１８…発光手段としての発光部材（ｄ…挿入口）、２１…キー。
【図１】
2005256492.tif 000003
【図２】
2005256492.tif 000004
【図３】
2005256492.tif 000005